(57)【要約】【課題】手書きを使用して記号を入力し、その記号によって何の操作命令が表されているかを決定することによって対応するソフトウェアを制御することであるので、操作を単純化する目的を達成すること。【解決手段】モバイル通信のためのデバイス及びその操作方法であり、モバイル通信デバイスは、マイクロプロセッサ、命令データベース及び画像データベースを有するメモリ、タッチパネル、メッセージモジュール、及び通信モジュールを含む。ユーザが記号を入力した後、マイクロプロセッサが、画像データベース及び命令データベースから、記号に対応する操作命令を取り出して実行、又は連絡先を探して記号に対応する通信アクションを行う。記号に対応する操作命令又は通信アクションが失敗した場合、マイクロプロセッサは、設定インターフェースに入り、記号に対応する操作命令又は通信アクションを設定する。【選択図】図１Ａ
2009021844.tif 000002
【特許請求の範囲】
【請求項１】
手書きによって少なくとも一つの記号を入力して予め設定された対応する操作命令を実行することを可能にするモバイル通信デバイスであって、
手書きによって記号を入力するため及びモバイル通信デバイスの操作インターフェースを表示するためのタッチパネルと、
メモリであって、
記号を保存するための画像データベース、
記号に対応する操作命令を保存するための命令データベース、及び
少なくとも一つのソフトウェアを含む、メモリと、
画像データベースに基づいて記号を分析し、その分析結果に基づいて命令データベースから対応する操作命令を取り出し、その操作命令に基づいて対応するソフトウェアを実行し、記号の分析又は記号及び対応する操作命令の取り出しが失敗した場合、記号に対応する操作命令及びソフトウェアを設定するためのマイクロプロセッサと、
音声通信を実行するためにマイクロプロセッサに接続している通信モジュールと、
メッセージを送信するためにマイクロプロセッサに接続されたメッセージモジュールと、
を備えるモバイル通信デバイス。
【請求項２】
タッチパネルは、手書きによって記号を入力するための入力画面を含む、請求項１に記載のモバイル通信デバイス。
【請求項３】
テキストを入力する又は電話をかけるためのキーボード、及び
通信を実行するためのアンテナモジュール、を含む、請求項１に記載のモバイル通信デバイス。
【請求項４】
操作インターフェースを表示するためのモニタ、及び
手書きによって記号を入力する及びテキストを入力するための手書きボード、を含む、請求項１に記載のモバイル通信デバイス。
【請求項５】
メモリは、外部メモリ又は組み込みメモリである、請求項１に記載のモバイル通信デバイス。
【請求項６】
手書きによって少なくとも一つの記号を入力して対応する操作命令を実行するための、モバイル通信デバイスの操作方法であり、
タッチパネルの入力画面に入力された記号を受信するステップ、
画像データベースに基づいて記号に対応する命令コードを決定するステップ、
命令コードに基づいて命令データベースから対応する操作命令を取り出すステップ、及び
記号が命令コード及び操作命令に対応するか否かを決定するステップであり、記号が命令コード及び操作命令に対応する場合、操作命令を実行し、そうでなければ、記号に対応する操作命令又は操作命令に対応するソフトウェアを設定するステップ、
を備える操作方法。
【請求項７】
命令コードは、英単語、中国語単語、ラテン語単語、又は数字である、請求項６に記載の操作方法。
【請求項８】
操作命令は、ソフトウェアを開始すること、ソフトウェアを中止すること、又はソフトウェアの特定の機能を実行することを含む、請求項６に記載の操作方法。
【請求項９】
操作命令又はソフトウェアを設定するステップは、
記号を設定するか記号を再記入するかを選択するステップ、
ソフトウェアリストから対応するソフトウェアを選択するステップ、
選択されたソフトウェアに基づいて操作命令リストを作成するステップ、及び
記号に対応すべき操作命令を選択するステップ、を含む、請求項６に記載の操作方法。
【請求項１０】
手書きによって少なくとも一つの記号を入力して記号に対応する連絡先に電話をかける又はメッセージを送信するためのモバイル通信デバイスであり、
手書きによって記号を入力するため及びモバイル通信デバイスの操作インターフェースを表示するためのタッチパネルと、
メモリであって、
記号を保存するための画像データベース、及び
記号及び通信アクションに対応する連絡先を保存するための命令データベース、を含む、メモリと、
画像データベースに基づいて記号を分析し、その分析結果に従って、命令データベースから対応する連絡先を取り出し、対応する通信アクションを実行するマイクロプロセッサであって、記号に対応する連絡先の分析及び実行されるべき通信アクションが失敗した場合、記号に対応する連絡先及び通信アクションを設定するマイクロプロセッサと、
連絡先にメッセージを送信するためのメッセージモジュールと、
連絡先に電話をかけるための通信モジュールと、から成るモバイル通信デバイス。
【請求項１１】
タッチパネルは、手書きによって記号を入力するための入力画面を含む、請求項１０に記載のモバイル通信デバイス。
【請求項１２】
テキストを入力する又は電話をかけるためのキーボード、及び
通信を実行するためのアンテナモジュール、を含む、請求項１０に記載のモバイル通信デバイス。
【請求項１３】
操作インターフェースを表示するためのモニタ、及び
手書きによって記号を入力する及びテキストを入力するための手書きボード、を含む、請求項１０に記載のモバイル通信デバイス。
【請求項１４】
メモリは、外部メモリ又は組み込みメモリである、請求項１０に記載のモバイル通信デバイス。
【請求項１５】
通信アクションは、電話をかけること及びメッセージを送信することを含む、請求項１０に記載のモバイル通信デバイス。
【請求項１６】
手書きによって少なくとも一つの記号を入力して記号に対応する連絡先に電話をかける又はメッセージを送信するための、モバイル通信デバイスの操作方法であり、
タッチパネルの入力画面に入力された記号を入力するステップ、
画像データベースに基づいて記号に対応する命令コードを決定するステップ、
命令コードに基づいて対応する連絡先及び対応する通信アクションを検索するステップ、及び
対応する連絡先及び対応する通信アクションが見つけられたか否かを決定するステップであって、対応する連絡先及び対応する通信アクションが見つかった場合、対応する通信アクションを実行し、そうでなければ、記号に対応する連絡先及び通信アクションを設定することを選択するステップ、から成る操作方法。
【請求項１７】
連絡先又は通信アクションを設定するステップは、
連絡先リストを開くステップ、
連絡先リストから連絡先を選択するステップ、
記号を設定するか記号を再記入するかの選択するステップ、及び
通信アクションとして電話をかけること又はメッセージを送信することを選択するステップ、を含む、請求項１６に記載の操作方法。
【発明の詳細な説明】
【技術分野】
【０００１】
本発明は、モバイル通信デバイス及びその操作方法に関し、より具体的には、タッチパネルに記号を描くことによって、ソフトウェア又は通信の実行を始動するモバイル通信デバイス及びその操作方法に関する。
【背景技術】
【０００２】
現在、モバイル電話には、数種類の多機能ソフトウェアを実行するためのハイオペレーションマイクロプロセッサを埋め込むことができる。
例えば、昔は、モバイル電話には低クロック周波数しか利用できないので、電話をダイヤルする又は電話に出る、及びメッセージを送る又は受信する等の基本的な機能しか実行できなかった。
しかしながら、モバイル操作技術が発達するにつれて、及びより高いクロック周波数をモバイル電話に埋め込むことができる時、より多くの機能が利用可能になり、上記の基本的機能に限らず、例えばＥアラーム（ｅ‐ａｌａｒｍ）クロック、マルチメディア再生、カメラ、ブラウジングピクチャ、インターネット、及び衛星ナビゲーション等の機能も実行可能である。
しかしながら、そのようなモバイル電話は、含まれる機能が多過ぎるので、過度に複雑で難しい操作手順を有する可能性があり、ユーザは、機能を実行するためのアプリケーションソフトウェアを見つけるのにより多くの時間を費やす必要があるかもしれない。
例えば、モバイル電話の現在の電話帳は、カテゴリー別に保存をすることができるので、ユーザは、連絡先との関係に基づいて保存グループを設定することができる。
しかしながら、ユーザがこの機能を使用して電話をかける連絡先を見つけようとする時から何日か後には、過度に多い保存グループがあるために、ユーザは、その連絡先の場所を見つけようとすることに多くの時間を費やす可能性があり、またその連絡先が所属しているグループを忘れる可能性がある。
【０００３】
従って、長く複雑な操作手順を有するこの問題を解決するためにホットキーが使用される。
ホットキーは、ある番号のボタンを同時又は連続して押すことによって特定の機能を実行する操作方法である。
現在、ホットキーはコンピュータにおいて広く使用されている。例えば、Ｃｔｒｌ＋Ａｌｔ＋Ｄｅｌは、コンピュータシステムを再始動するためのホットキーである。
今、ホットキーの概念はいくつかのモバイル電話においても使用されており、例えば、トーク（Ｔａｌｋ）ボタン及び特定の番号のボタンを押すことによって、モバイル電話をロックすることができる。
従って、このホットキー技術を適用することによって、長く複雑な操作手順を単純化することができる。
しかしながら、ホットキー技術は、全ての種類のモバイル電話に適用することができる訳ではない。例えば、今、益々多くのモバイル電話が、パーソナルデジタルアシスタント（ＰＤＡ）構造を使用しており、物質的キーボードの代わりにタッチパネル上に仮想のキーボードを有する。従って、操作を簡単にするために一つ又はいくつかの物質的ボタンを使用してホットキーを構成することは、この種のモバイル電話構造においては現実的ではない。
加えて、操作を単純化するためにたとえホットキーをモバイル電話において使用しても、実際的に、偶然にホットキーを押してある連絡先に電話をかけてしまう、又は、ブルートゥースを始動させるためのホットキーを誤って押してしまうというような、不必要な操作エラーが起こる可能性が未だあり、結果としてバッテリーの消費を加速する可能性がある。
【発明の開示】
【発明が解決しようとする課題】
【０００４】
長く複雑な操作手順を有する前述の問題に従い、本発明の目的は、手書きを使用して記号を入力し、その記号によって何の操作命令が表されているかを決定することによって対応するソフトウェアを制御することであるので、操作を単純化する目的を達成することができる。
【０００５】
本発明のその他の目的は、手書きを使用して記号を入力し、連絡先における誰かに電話をかける又はこの人物に対してメッセージを送信することである。
【課題を解決するための手段】
【０００６】
前述の目的を達成するため、本モバイル通信デバイスは、手書きによって記号を入力するため及び操作インターフェースとしてのためのタッチパネル、記号を保存するための画像データベース、記号に対応する操作命令を保存するための命令データベース、及び少なくとも一つのソフトウェアを含むメモリ、画像データベースに基づいて記号を分析し、その分析結果に基づいて命令データベースから対応する操作命令を取り出し、その操作命令に基づいて対応するソフトウェアを実行し、また記号の分析又は操作命令の取り出しが失敗した場合、対応する操作命令及びソフトウェアを構築するマイクロプロセッサ、マイクロプロセッサに接続して音声通信を実行する通信モジュール、及び、マイクロプロセッサに接続してメッセージを送信するメッセージモジュール、を含む。
加えて、マイクロプロセッサは、電話をかける又はメッセージを送信するための命令において分析結果に基づいて命令データベースにおける対応する連絡先を検索することもできる。
同様に、対応する連絡先及び実行されるべき通信アクションの分析が失敗した場合、マイクロプロセッサは、更に、対応する連絡先及び通信アクションを設定することができる。
【０００７】
記号に対応する操作命令の実行において及びソフトウェアの実行において使用される場合の上記モバイル通信デバイスの操作方法は、以下のステップを含むことができる。
まず、タッチパネルの入力画面に記号を描く。次に、画像データベースに基づいて記号に対応する命令コードを決定する。その後、命令コードに従って命令データベースから対応する操作命令を取り出す。最後に、その記号が命令コード及び操作命令に対応するか否かを決定し、もしその答えがイエスならば、操作命令を実行し、そうでなければ、記号に対応する操作命令、又は操作命令に対応するソフトウェアを設定する。
それらのステップの中で、記号に対応する操作命令、又は操作命令に対応するソフトウェアを設定するステップは、以下のステップ：入力記号の設定を実行するか記号を再記入するかを選択するステップ、ソフトウェアリスト上の対応するソフトウェアをクリックするステップ、選択されたソフトウェアに基づいて操作命令リスト作成するステップ、及びその記号に対応する操作命令を選択するステップ、を含んでもよい。
【０００８】
加えて、入力された記号に対応する連絡先に対する電話をかける又はメッセージを送信することにおいて使用される場合の上記モバイル通信デバイスの操作方法は、以下のステップを含むことができる。
まず、タッチパネルの入力画面に記号を描く。次に、画像データベースに基づいて記号に対応する命令コードを決定する。その後、命令コードに従って命令データベースから対応する連絡先及び通信アクションを検索する。最後に、対応する連絡先及び通信アクションが見つかったか否かを決定し、もしその答えがイエスならば、対応する通信アクションを実行し、そうでなければ、その記号に対応する連絡先及び通信アクションを設定する。
それらのステップの中で、その記号に対応する連絡先及び通信アクションを設定するステップは、以下のステップ：連絡先リストを開くステップ、その連絡先リストから連絡先を選択するステップ、入力された記号によって記号を設定するか記号を再記入するかの選択を選択するステップ、及び、電話をかけるための通信アクションかメッセージを送信するための通信アクションかの選択を選択するステップ、を含んでもよい。
【発明の効果】
【０００９】
上記述に従うと、本発明は画像データベース及び命令データベースを使用して入力された記号に対応するアクションを決定し、対応するアクションを直接実行するので、長く複雑な操作手順を排除することができ、従って、モバイル電話の操作を単純化することができる。
加えて、この発明においては、手書きによって入力画面に記号が入力されるので、従来の物質的ホットキーにおいて発生する可能性のある不利益は、ここでは起きないだろう。
【発明を実施するための最良の形態】
【００１０】
本発明は、説明のためだけに与えられ、従って本発明を限定するものではない以下に与えられた詳細な記述からより完全に理解されるだろう。
【００１１】
図１Ａは、本発明に基づくモバイル通信デバイスの構造を示す図である。
この好適な実施形態は、手書きを使用して少なくとも一つの記号を入力し、その記号に対応する予め決められた操作命令を実行するモバイル通信デバイスに適している。
モバイル通信デバイスは、マイクロプロセッサ１１０、メモリ１２０、タッチパネル１３０、メッセージモジュール１４０、通信モジュール１５０、キーボード１６０、及びアンテナモジュール１７０を含む。
【００１２】
タッチパネル１３０は、手書きによって記号を入力するため及びモバイル通信デバイスの操作インターフェース（ユーザーインターフェース）であるために使用される。
メモリ１２０は、組み込みメモリ又は外部メモリが可能であり、画像データベース１２２、命令データベース１２４、及び少なくとも一つのソフトウェア１２６を含み、そのそれぞれが、入力された記号、その記号に対応する操作命令、及び、計算機、通貨計算ソフトウェア、又はＧＰＳナビゲーションソフトウェア等の追加の機能をモバイル通信デバイスに提供するソフトウェアを保存するために使用される。
ユーザが手書きで記号を入力した後、マイクロプロセッサ１１０は、画像データベース１２２に基づいてこれらの記号を分析し、分析結果に従って命令データベース１２４から対応する操作命令を取り出し、その操作命令に基づいて対応するソフトウェアを実行する。
もしマイクロプロセッサ１１０が、画像データベース１２２及び命令データベース１２４から、入力された記号を認識できなければ、モバイル通信デバイスは、例えば、ユーザーズインターフェースを使用して、ユーザが、その記号に対応する操作命令及びソフトウェアを設定できるようにする。
タッチパネルを除き、ユーザは、キーボードを使用することによってモバイル通信デバイスを操作してテキストを入力する又は電話をかけることもできる。
電話をかける又はメッセージを送信する等のモバイル通信デバイスの通信機能は、アンテナモジュール１７０によって達成される。
【００１３】
図１Ｂは、図１Ａにおけるタッチパネルを示す図である。
図１Ｂにおいて、タッチパネル１３０は、手書きを認識するために使用される領域を有し、それを入力画面１３２と呼ぶ。
ユーザは、入力画面１３２に記号を入力し、操作命令を与える又はソフトウェアを開始することができる。
記号を入力するための方法は、タッチパネル１３０による入力に限られない。
図１Ｃは、本発明に従うその他のモバイル通信デバイス構造を示す図である。
タッチパネルは、使用回数の増加とともに、傷がつき易く、最終的に損傷することさえある。
従って、いくつかの実施形態においては、上述されたタッチパネル１３０は、モニタ１３６及び手書きパネル１３４によって置き換えることもできる。
手書きパネルは、例えばモバイル通信デバイスに組み込まれるか外部接続されるかして、記号の入力又はメッセージの書き込みを受信し、モバイル通信デバイスの操作インターフェース（ユーザインターフェース）を、モニタ１３６（例えば、ＬＣＤモニタ）に代わりに表示することができる。
モニタは、もはや手書きのためではないので、傷がつく又は損傷することはもっとありそうにない。
以下の段落では、本発明に従う好適な実施形態のモバイル通信デバイスの操作方法を記述する。
【００１４】
図２は、本発明に従うモバイル通信デバイスの操作方法のフローチャートである。本方法は、以下のステップを含む。
まず、タッチパネルの入力画面に記号を描く（ステップＳ２１０）が、その記号としては、英単語、中国語単語、又は特定の数字が可能である。
次に、画像データベースに基づいて記号に対応する命令コードを決定し（ステップＳ２２０）、マイクロプロセッサは記号を取ってきて、その記号と画像データベースにおけるデータを比較する。
各画像データは、自身の命令コードを持っており、例えば、描かれた記号“Ｍ”に対応する画像データＡは、その対応する命令コード１０００を有することができるので、マイクロプロセッサがその記号を画像データベースにおける画像データＡと適合した場合、画像データベースはその命令コード１０００をマイクロプロセッサに報告する。
その後、マイクロプロセッサは、命令コードに従って命令データベースから対応する操作命令を取り出す（ステップＳ２３０）が、操作命令は、ソフトウェアを開始すること、ソフトウェアを中止すること、又はソフトウェアの特定の機能を実行することを含んでもよい。
最後に、それらの記号が命令コード及び操作命令に対応するか否かを決定し（ステップ（Ｓ２４０）、もしその答えがイエスならば、操作命令を実行し（Ｓ２５０）、もしその答えがノーならば、記号に対応する操作命令又は操作命令に対応するソフトウェアを設定する。
画像データベースは、画像及び命令コードのみを保存し、記号と適合した後に命令コードのみが取り出される。
命令コードとしては、英単語（単語又は文字）、中国語単語、ラテン語単語、又は数字が可能である。マイクロプロセッサは、次に、命令コードに従って命令データベースから対応する操作命令を取り出すことができる。
つまり、画像データベースにおいて対応する画像データを見つけるステップ及び命令データベースにおいて取り出されたい操作命令を見つけるステップは、全決定ステップを完了して操作命令を実行するために命令において両方とも必要である。
もし入力された記号に対応する操作命令が無ければ、モバイル通信デバイスは、記号に対応する操作命令、又はユーザが操作命令を通して制御したいソフトウェアをユーザが設定できるようにすることができる。
【００１５】
記号に対応する操作命令又は操作命令に対応するソフトウェアを設定するステップは、以下のステップを含む。まずマイクロプロセッサが取ってきた入力された記号を設定するか、記号を再入力するかを選択する。
そして、ソフトウェアリストから記号が対応されたいソフトウェアを選択する。その後、選択されたソフトウェアに基づいて操作命令リストを作成する。
最後に、操作命令リストから記号が対応されたい操作命令を選択する。
命令において本発明を更に説明するために、以下の段落における記述には、操作インターフェースが盛り込まれる。
【００１６】
図３Ａ乃至図３Ｄは、本発明に従うモバイル通信デバイスのユーザーズインターフェースを示す図である。
図３Ａにおいて、モバイル通信デバイスのユーザーズインターフェース３１０の下部は、記号を記入するための入力画面１３２を含む。
そして、図Ｂにおいて、ユーザは、手書きによって入力画面１３２に記号を描くことができる。
本実施形態では、英語の文字“ＴＫ”を入力した。
この時、マイクロプロセッサは、この“ＴＫ”を一つの記号として読み、画像データベースへ行き、対応する画像データがあるか否かを見つけ出す。
もしあれば、マイクロプロセッサは、記号に対応する命令コードを取り出し、その命令コードに従って命令データベースから対応する操作命令を検索する。
画像データベース又は命令データベースにおいて、入力された記号に対応する操作命令又はソフトウェアが無い場合、図３Ｃに示すようなユーザーズインターフェースが現れ、ユーザは、普通の入力された記号を設定するか、又は入力ウィンドウ１３２に記号を再度描くかのどちらかを選択することができる。
ユーザが、記号が対応したいソフトウェアを設定するために、ソフトウェアリストがユーザーズインターフェース３１０の左側に現れる。
ソフトウェアを選択した後、モバイル通信デバイスは、記号が実行したい操作命令をユーザが選択できる操作命令リストを作成する。
フィニッシュボタンを押した後、記号と操作命令の関係及びソフトウェアと命令の関係が、メモリに保存される。
記号と操作命令の関係及びソフトウェアと命令の関係を設定した後、ユーザは、その予め設定された記号を入力して、その記号に対応する操作命令（又はソフトウェア）を始動することができる。
例えば、もしユーザが前にチャットルーム機能を始動するために“ＴＫ”の入力を設定しているとすれば、ユーザが入力画面に“ＴＫ”を手書きした場合、（図３Ｄに示すように）チャットルーム機能が起動される。
【００１７】
本発明のモバイル通信デバイスは、ただ記号を手書きすることによって、その記号に対応する連絡先に電話をかける又はメッセージを送信することが出来てもよい。
例えば、もし連絡先のひとつの名前がＳｔｅｖｅｎならば、設定後、本デバイスは、入力画面１３２にただ“Ｓ”と手書きし、Ｓｔｅｖｅｎに電話をかけ始めることを可能にする。
【００１８】
図１Ａに従うと、ユーザがタッチパネルに記号を手書きした後、マイクロプロセッサ１１０は、画像データベース１２２に基づいて記号を分析し、その分析結果に基づいて対応する連絡先及び実行されるべき通信アクションを探す。
もし入力された記号が、対応する連絡先及び通信アクションを予め設定していなかったら、ユーザーズインターフェースを使用して、記号と連絡先の関係及び記号と通信アクションの関係を設定することが出来る。
その通信アクションを、一例として、メッセージの送信又は電話をかけることとし、もし入力された記号が、命令データベース１２４において対応する連絡先及び通信アクションを有するならば、本デバイスは、メッセージモジュール１４０によって連絡先にメッセージを送信、又は通信モジュール１５０によって連絡先に電話をかける。
【００１９】
図４は、モバイル通信デバイスの操作方法のその他のフローチャートである。その操作方法は、以下のステップを含む。
まず、タッチパネルの入力画面に記号を描く（ステップＳ４１０）。
次に、画像データベースに基づいて、記号に対応する命令コードを決定する（ステップＳ４２０）。その後、命令コードに基づいて命令データベースにおいて対応する連絡先及び通信アクションを検索する（ステップＳ４３０）。
最後に、対応する連絡先及び通信アクションがあるか否かを決定し（ステップＳ４４０）、もしその答えがイエスならば、対応する通信アクションを実行し（ステップＳ４５０）、もしその答えがノーならば、入力された記号に対応する連絡先及び通信アクションを設定することを選択してもよい（ステップＳ４６０）。
ステップＳ４６０は、更に、以下のステップ：Ａ．連絡先リストを開くステップ、Ｂ．連絡先リストから連絡先を選択するステップ、Ｃ．入力された記号を設定するか、記号を再記入するかを選択するステップ、及び、Ｄ．電話をかける又はメッセージを送信するための通信アクションを選択するステップ、を含むことが出来る。
【００２０】
これから、その他の様態から上記の好適な実施形態を記述するために、操作インターフェースが盛り込まれる。
図５Ａ乃至図５Ｆは、本発明に従うモバイル通信デバイスのユーザーズインターフェースを示す図である。
図５Ａ乃至図５Ｆに従うと、まず、図５Ａにおいて、ユーザーズインターフェース３１０の入力画面に文字“Ｓ”を手書き入力した。
その“Ｓ”に対応する連絡先及び通信アクションは、命令データベースに既に保存されているので、従って、図５Ｂに示すように、手書きの後、モバイル通信デバイスは、連絡先に直接電話をかける。
その電話の間、ユーザは、音量の増加又は減少、スピーカ、ミュート、又は中止など、機能リストを通して通信を制御できる。もし入力された記号に対応する予め設定された連絡先及び通信が無ければ、ユーザは、設定インターフェース（又はユーザーズインターフェース）によって、記号と連絡先の関係及び記号と通信アクションの関係を設定してもよい。
例えば、ある実施形態では、もし入力された記号が、文字“Ｘ”で、それを入力した後ならば、本デバイスは、対応する連絡先及び通信アクションが無いことを見つけ出し、ユーザは、連絡先リストを開いてコード設定アクションを実行することを選択してもよい。
図５Ｃでは、連絡先リストが開かれた場合、ユーザは、機能リスト５１０を使用して連絡先リストから連絡先情報５１２を選択し、その連絡先情報を編集、又はその他の連絡先情報に目を通してもよい。
ひとつの対応する連絡先が選択された場合、そのコードを設定するために、その他のユーザーズインターフェースが開かれる。
図５Ｄでは、ユーザは、入力された記号を使用して通信アクション設定を実行するか、入力画面１３２に新しい記号を再記入するかを選択することが出来る。通信アクションは、機能リストから、電話をかける又はメッセージを送信することを含むことが出来る。本実施形態では、ユーザは、入力画面に新しい記号“Ｍ”を再記入することを選択し、通信アクションとしてメッセージを送信することを選択する。
図５Ｅでは、設定が終了した後、及びユーザが、開始されたユーザーズマニュアル３１０戻り、入力画面に記号“Ｍ”を手書きし、図５Ｆに示すように、画像データベース及び命令データベースを検索することによって対応する連絡先を見つけることができ、メッセージ送信アクションが実行される。
【００２１】
要約すれば、本発明は、ユーザが、記号を直接手書きし、画像データベース及び命令データベースから記号に対応する連絡先及び通信アクションを検索することによって、通信又は操作命令を始動することを可能にし、本発明は以下の利益を有する。
１．手書きをして特定の入力画面に記号を入力することは、ホットキーを使用することと同じ効果を有し、従って、操作の複雑性が低減する。
２．手書きをして特定の入力画面に記号を入力することは、不必要な操作エラーを防止することが出来る。
３．保存される記号の量は、メモリの増大とともに拡大することが出来る。
本発明の実施形態を開示の目的で説明したが、本発明の開示された実施形態の変形及びその他の実施形態を当業者が思い付くかもしれない。
従って、添付の特許請求の範囲は、本発明の精神及び範囲から逸脱しない全ての実施形態を対象とすることが意図されている。
【図面の簡単な説明】
【００２２】
【図１Ａ】本発明に従うモバイル通信デバイスの構造を示す図である。
【図１Ｂ】図１Ａにおけるタッチパネルを示す図である。
【図１Ｃ】本発明に従うモバイル通信デバイスのその他の構造を示す図である。
【図２】モバイル通信デバイスの操作方法のフローチャートである。
【図３Ａ】本発明に従うモバイル通信デバイスのユーザーズインターフェースを示す図である。
【図３Ｂ】本発明に従うモバイル通信デバイスのユーザーズインターフェースを示す図である。
【図３Ｃ】本発明に従うモバイル通信デバイスのユーザーズインターフェースを示す図である。
【図３Ｄ】本発明に従うモバイル通信デバイスのユーザーズインターフェースを示す図である。
【図４】モバイル通信デバイスの操作方法のその他のフローチャートである。
【図５Ａ】本発明に従うモバイル通信デバイスのユーザーズインターフェースを示す図である。
【図５Ｂ】本発明に従うモバイル通信デバイスのユーザーズインターフェースを示す図である。
【図５Ｃ】本発明に従うモバイル通信デバイスのユーザーズインターフェースを示す図である。
【図５Ｄ】本発明に従うモバイル通信デバイスのユーザーズインターフェースを示す図である。
【図５Ｅ】本発明に従うモバイル通信デバイスのユーザーズインターフェースを示す図である。
【図５Ｆ】本発明に従うモバイル通信デバイスのユーザーズインターフェースを示す図である。
【図１Ａ】
2009021844.tif 000003
【図１Ｂ】
2009021844.tif 000004
【図１Ｃ】
2009021844.tif 000005
【図２】
2009021844.tif 000006
【図３Ａ】
2009021844.tif 000007
【図３Ｂ】
2009021844.tif 000008
【図３Ｃ】
2009021844.tif 000009
【図３Ｄ】
2009021844.tif 000010
【図４】
2009021844.tif 000011
【図５Ａ】
2009021844.tif 000012
【図５Ｂ】
2009021844.tif 000013
【図５Ｃ】
2009021844.tif 000014
【図５Ｄ】
2009021844.tif 000015
【図５Ｅ】
2009021844.tif 000016
【図５Ｆ】
2009021844.tif 000017